(57)【要約】      （修正有）【課題】取付金具が無くても金網フェンスに簡単に取付けられ、耐久性もある目隠しフェンスを提供する。【解決手段】金網フェンス２の上と下の胴縁部２か所の隙間に、目隠し用単位パネル３の上部と下部の一部を差し込んで取付ける。取付金具が不要となり、一般消費者でも簡単に目隠しフェンスの施工ができ、取付金具の腐食がないため、耐久性も向上する。さらに目隠し用単位パネルを複数の部品に分割し組み合わせることで、市販されている種々の金網フェンスにも対応できる。【選択図】図４
0003207229.tif 000002
【実用新案登録請求の範囲】
【請求項１】
金網フェンスの上と下の胴縁部２か所の隙間に、目隠し用単位パネルの上部と下部の一部を差し込んで取付ける、取付金具が不要な目隠しフェンス。
【請求項２】
目隠し用単位パネルを複数の部品に分割することで、市販されている金網フェンスの胴縁部の形状の違いや高さの違に柔軟に対応できる目隠しフェンス。
【考案の詳細な説明】
【技術分野】
【０００１】
本考案は、金網フェンスへの目隠し用単位パネルが、取付金具なしで取付けられ、一般消費者でも簡単に施工ができる目隠しフェンスに関するものである。
【背景技術】
【０００２】
従来の目隠しフェンスは、目隠し用単位パネルを取付金具で金網フェンスに取付ける施工であり、視線や日差しを目隠しする効果は十分であった。
【０００３】
しかし、目隠し用単位パネルを取付金具で取付ける施工では、取付作業が複雑になり一般消費者では簡単に施工ができなかった。
【０００４】
更に、目隠し効果を十分得るためには、目隠し用単位パネルの数が多くなるため、施工に時間が掛かることも課題であった。
【０００５】
また、金属フェンスは屋外に施工されるため、取付金具には雨による腐食の耐久性に課題があった。
【先行技術文献】
【特許文献】
【０００６】
【特許文献１】実開平02-093473号公報
【考案の概要】
【考案が解決しようとする課題】
【０００７】
解決しようとする課題は、目隠しフェンスの施工に取付金具を使用する点である。
【課題を解決するための手段】
【０００８】
本考案は、目隠しフィンスに使用する目隠し用単位パネルを、取付金具が不要となる形状にすることが最も主要な特徴である。
【考案の効果】
【０００９】
本考案の目隠し用単位パネルは、金網フェンスの胴縁部上下２か所の隙間に、目隠し用単位パネル上部と下部の一部を差し込んで取付けるため、取付金具は不要となり一般消費者でも簡単に取付けることができる。
【００１０】
取付金具がないため、接合部分での取付金具の腐食は無く、耐久性が向上する。
【００１１】
目隠し用単位パネル下部を金属フェンスの支柱が施工されている地面又はブロックに接地させることで、金属フェンスと目隠し用単位パネルの接合部分に重量の負荷は無く、耐久性が向上する。
【００１２】
目隠し用単位パネルを上部と中央部と下部に分割することで、市販されている色々な金網フェンスの胴縁部の形状にも、目隠し用単位パネルの上部と中央部と下部の組み合わせで対応できる。
【図面の簡単な説明】
【００１３】
【図１】本考案の目隠しフェンスの一例を示すもので、目隠しフェンスの一部切欠正面図。
【図２】同、目隠しフェンスの側面図。
【図３】同、目隠し用単位パネルの形状の斜視図。
【図４】同、目隠し用単位パネルを金網フェンスに取付けた状態を示す斜視図。
【図５】同、フェンス本体の胴縁部の形状の違いによる、目隠し用単位パネル形状例の側面図。
【図６】同、目隠し用単位パネルを分割した部品の側面図。
【考案を実施するための形態】
【００１４】
取付金具を不要にするという目的を、目隠し用単位パネルの形状で解決した。
【実施例】
【００１５】
図１は、本考案の１実施例の正面図であって、１〜３、Ａ、Ｂは、図２、図３、図４、図５、図６と同様である。
【００１６】
図１の実施例は、適示間隔をおいて建植された複数の支柱１、１・・・・・に、多本数の金属製線材２a、２a・・・・・が格子状に接合されているフェンス本体２が取り付けられてなる金網フェンスにおいて、フェンス本体２の胴縁部（上）２bの隙間に目隠し用単位パネル上部３b、胴縁部（下）２cの隙間に目隠し用単位パネル下部３cを着脱可能な状態で差し込んで取付ける目隠しフェンスである。
【００１７】
図２の実施例は、目隠し用単位パネル３のフェンス本体２に取り付けられた状態の側面図である。なお目隠し用単位パネル下部３ｃを支柱１が建植された地面又はブロックと接地させることで、目隠し用単位パネル３の重量が金属フェンスへの負荷とならない状態となる。
【００１８】
図３は、目隠し用単位パネル３の形状の一例を示す。目隠し用単位パネル上部３bはフェンス本体２の胴縁部（上）２bの隙間に挿入可能な形状、目隠し用単位パネル下部３cはフェンス本体２の胴縁部（下）２cの隙間に挿入可能な形状とする。
【００１９】
図４は、金網フェンスに目隠し用単位パネル３を取付けた状態の一例を示す。目隠し用単位パネル上部３bはフェンス本体２の胴縁部（上）２bの隙間に挿入、目隠し用単位パネル下部３ｃはフェンス本体２の胴縁部（下）２ｃの隙間に挿入されており、この上下２か所にパネルを挿入することで取付金具を使用しなくても金網フェンスに取付けることが可能となる。また、接合部分（取付部分）は固定されていないが、目隠し用単位パネル下部３ｃが支柱１が建植された地面又はブロックと接地していることで、金網フェンスに負荷をかけることなく安定した状態で取付けることができる。
【００２０】
図５の実施例は、フェンス本体の胴縁部の形状の違いにより、胴縁部（上）（下）同方向タイプ目隠し用単位パネルAの目隠し用単位パネル下部３cの形状では胴縁部（下）２cへの取付けが不可能な場合、胴縁部（上）（下）異方向タイプ目隠し用単位パネルBの目隠し用単位パネル下部３ｃの形状にすることで胴縁部（下）２cへの取付けが可能となることを示す。
【００２１】
図６は、図５の胴縁部（上）（下）同方向タイプ目隠し用単位パネルＡと胴縁部（上）（下）異方向タイプ目隠し用単位パネルＢを分割した各部品の側面図となる。このように目隠し用単位パネルを上部、中央部、下部の部品に分割することで交換可能が可能となり、市販されている金網フェンスの胴縁部の形状の違いや高さの違にも柔軟に対応できるようになる。
【産業上の利用可能性】
【００２２】
目隠しフェンスが、取付金具なしで施工できるため部品数が減少、産業廃棄物が少なくなる。
【符号の説明】
【００２３】
１    支柱
２    フェンス本体
２a   線材
２b   胴縁部（上）
２c   胴縁部（下）
３    目隠し用単位パネル
３a   目隠し用単位パネル中央部
３b   目隠し用単位パネル上部
３c   目隠し用単位パネル下部
Ａ     胴縁部（上）（下）同方向タイプ目隠し用単位パネル
Ｂ     胴縁部（上）（下）異方向タイプ目隠し用単位パネル
【図１】
0003207229.tif 000003
【図２】
0003207229.tif 000004
【図３】
0003207229.tif 000005
【図４】
0003207229.tif 000006
【図５】
0003207229.tif 000007
【図６】
0003207229.tif 000008
【手続補正書】
【提出日】平成28年8月19日(2016.8.19)
【手続補正１】
【補正対象書類名】実用新案登録請求の範囲
【補正対象項目名】請求項２
【補正方法】変更
【補正の内容】
【請求項２】
金網フェンスに差し込んで取り付けることが可能な構造を有する目隠し用単位パネルであって、当該目隠し用単位パネルは複数の部品に分割できることを特徴とする、目隠し用単位パネル。